(57)【特許請求の範囲】
【請求項１】
縦方向および横方向と、前記横方向の寸法を二等分して前記縦方向へ延びる縦方向二等分線を有し、肌対向面および非肌対向面と、前ウエスト域と、後ウエスト域と、前記前後ウエスト域間に位置するクロッチ域と、少なくとも前記クロッチ域において前記縦方向へ延びる吸液構造体を有するシャーシとを含む使い捨ておむつであって、
前記シャーシは、第１シートと、第２シートと、前記縦方向二等分線に対して対称となるように前記第１シートおよび前記第２シートの間に配置した一対の第１レッグ弾性体および第２レッグ弾性体とを含み、本体部と、前記第１レッグ弾性体および前記第２レッグ弾性体を有し、前記本体部に対向して前記本体部の前記縦方向における前端部および後端部のみに固定された一対のサイド弾性部とを含み、
前記第１レッグ弾性体は、前記横方向において前記縦方向二等分線に近接し、前記縦方向において直状となるように配置し、
前記第２レッグ弾性体は、前記第１レッグ弾性体よりも前記横方向において前記縦方向二等分線に離間し、少なくとも前記クロッチ域の前記前ウエスト側で前記縦方向へ延びる直状部と、前記直状部の前記後ウエスト域側で互いに徐々に離間するように延びる曲状部とを有することを特徴とする前記おむつ。
【請求項２】
前記クロッチ域の前記後ウエスト域側は、前記第１レッグ弾性体と前記第２レッグ弾性体との間に位置し、前記第１レッグ弾性体および前記第２レッグ弾性体の収縮力が作用しない第１非収縮領域を有し、
前記後ウエスト域には、前記シャーシの両側縁から前記横方向の外方へ延びる弾性ベルトパネルを一対配置するとともに、前記サイド弾性部の内側縁どうしを連結し、前記弾性ベルトパネルと連続または別体の連結パネルを配置し、
前記弾性ベルトパネルには、前記横方向へ延びる第１ウエスト弾性体を前記縦方向へ複数配置し、
前記連結パネルには、前記横方向へ延びる第２ウエスト弾性体を前記縦方向へ複数配置し、
前記後ウエスト域は、前記弾性ベルトパネルと前記連結パネルとの間に位置し、前記第２ウエスト弾性体および前記第１ウエスト弾性体の収縮力が作用しない第２非収縮領域を有し、
前記第１非収縮領域と前記第２非収縮領域とが前記縦方向へ連続する請求項１に記載のおむつ。
【請求項３】
前記第１ウエスト弾性体における前記縦方向二等分線側に近接する端部と、前記第２レッグ弾性体の前記後ウエスト域側の端部とが近接する請求項２に記載のおむつ。
【請求項４】
前記後ウエスト域において、前記弾性ベルトパネルを前記サイド弾性部の外側縁に取り付けてある請求項２または３に記載のおむつ。
【請求項５】
前記連結パネルは、前記シャーシの前記肌対向面側に位置し、
前記第２ウエスト弾性体の前記横方向の端部と、前記第１レッグ弾性体の前記後ウエスト域側の端部とが近接する請求項２〜４のいずれかに記載のおむつ。
【請求項６】
前記連結パネルおよび前記サイド弾性部と、前記本体部との間にスペースが形成されるように、前記連結パネルが前記サイド弾性部の内側縁どうしを連結する請求項２〜５のいずれかに記載のおむつ。
【請求項７】
前記吸液構造体は、前記縦方向および前記横方向にそれぞれ直交する厚さ方向を有し、かつ透液性の肌対向面側ライナと吸液層とを含み、
前記連結パネルは、前記厚さ方向において、前記肌対向面側ライナまたは前記吸液層に重なっている請求項２〜６のいずれかに記載のおむつ。
【請求項８】
前記第２レッグ弾性体の収縮力が、前記第２ウエスト弾性体の収縮力よりも大きい請求項２〜７のいずれかに記載のおむつ。
【発明の詳細な説明】
【技術分野】
【０００１】
本発明は、使い捨ておむつに関する。
【背景技術】
【０００２】
従来、縦方向および横方向を有し、肌対向面および非肌対向面と、横方向の寸法を二等分して縦方向へ延びる縦方向二等分線と、前ウエスト域と、後ウエスト域と、前後ウエスト域間に位置するクロッチ域と、縦方向に延びる第１弾性収縮部材（弾性収縮ゴム）および第２弾性収縮部材（ガスケットカフス用弾性伸縮部材）とを備える使い捨ておむつは公知である。例えば、特許文献１には、非肌対向面側に位置する不透液性シートと、肌対向面に位置する透液性シートと、不透液性シートと不透液性シートとの間に介在する吸収体とを備える使い捨ておむつが開示されている。
【０００３】
透液性シートの肌対向面側には、縦方向二等分線に対称となるように一対の側部バリヤシートを設けてある。第１弾性収縮部材は、側部バリヤシートの縦方向二等分線に近接する内側縁に、側部バリヤシートが透液性シートに対して肌対向面側に起立するように設けてある。
【０００４】
第１弾性収縮部材は、側部バリヤシートの縦方向二等分線に近接する内側縁を折り返して形成したスリーブに、縦方向に延びるよう直状に設けてある。
【０００５】
第２弾性収縮部材は、透液性シートと不透液性シートとの間であって、第１弾性収縮部材よりも縦方向二等分線に離間する外側縁に、縦方向に延びるよう直状に設けてある。
【０００６】
後ウエスト域の透液性シートの肌対向面側には、一対の側部バリヤシートを連結する腰部バリヤシートを設けてある。腰部バリヤシートは、発泡ウレタン等からなり、横方向へ延びる第３伸縮弾性部材を設けてある。
【先行技術文献】
【特許文献】
【０００７】
【特許文献１】特開平７−１８４９４７号公報
【発明の概要】
【発明が解決しようとする課題】
【０００８】
特許文献１に開示のおむつでは、第３伸縮弾性部材によって一対のバリヤシートの内側縁が互いに近接するように引っ張られて、バリヤシートの内側縁が臀部に食い込むという課題があった。
【０００９】
そこで、本発明の課題は、従来の技術の改良であって、シートが臀部に食い込むことを防止することができる使い捨ておむつを提供することにある。
【課題を解決するための手段】
【００１０】
前記課題を解決するために、本発明は、縦方向および横方向と、前記横方向の寸法を二等分して縦方向へ延びる縦方向二等分線を有し、肌対向面および非肌対向面と、前ウエスト域と、後ウエスト域と、前後ウエスト域間に位置するクロッチ域と、少なくとも前記クロッチ域において前記縦方向へ延びる吸液構造体を有するシャーシとを含む使い捨ておむつを対象とする。
【００１１】
本発明のおむつは、前記シャーシは、第１シートと、第２シートと、前記縦方向二等分線に対して対称となるように前記第１シートおよび前記第２シートの間に配置した一対の第１レッグ弾性体および第２レッグ弾性体とを含み、本体部と、前記第１レッグ弾性体および前記第２レッグ弾性体を有し、前記本体部に対向して前記本体部の前記縦方向における前端部および後端部のみに固定された一対のサイド弾性部とを含み、前記第１レッグ弾性体は、前記横方向において前記縦方向二等分線に近接し、前記縦方向において直状となるように配置し、前記第２レッグ弾性体は、前記第１レッグ弾性体よりも前記横方向において前記縦方向二等分線に離間し、少なくとも前記クロッチ域の前記前ウエスト側で縦方向へ延びる直状部と、前記直状部の前記後ウエスト域側で互いに徐々に離間するように延びる曲状部とを有することを特徴とする。
【発明の効果】
【００１２】
本発明に係る使い捨ておむつによれば、第１レッグ弾性体は、縦方向において直状となるように配置するため、クロッチ域でシャーシが着用者から離れることを防止することができる。しかも、第２レッグ弾性体は、第１レッグ弾性体よりも横方向において縦方向二等分線に離間し、少なくともクロッチ域の前ウエスト側で縦方向へ延びる直状部と、直状部の後ウエスト側で互いに徐々に離間するように延びる曲状部とを有するため、クロッチ域の前ウエスト側でシャーシが着用者から離れることを確実に防止することができるとともに、一対の第２レッグ弾性体の曲状部の収縮力で一対の第１レッグ弾性体を互いに離間するように引っ張ることができる。よって、第１シートおよび第２シートが臀部に食い込むことを防止することができる。しかも、第１レッグ弾性体および第２レッグ弾性体は、第１シートと第２シートとの間に配置してあるため、これらの弾性体の収縮力が第１シートおよび第２シートに直接作用する。よって、第１シートおよび第２シートが臀部に食い込むことを確実に防止することができる。
【図面の簡単な説明】
【００１３】
【図１】本発明の第１実施形態における開放型使い捨ておむつの斜視図。
【図２】おむつのメカニカルファスナの係合を解除して前後方向に伸展した状態をその内面から見た展開平面図。
【図３】おむつの分解斜視図。
【図４】接合域のみを実線で示す、おむつ展開平面図。
【図５】図２のＶ−Ｖ線に沿う模式的断面図。
【図６】図２のＶＩ−ＶＩ線に沿う模式的断面図。
【図７】図２のＶＩＩ−ＶＩＩ線に沿う模式的断面図。
【図８】図１のＶＩＩＩ−ＶＩＩＩ線に沿う模式的縦断面図。
【図９】第２実施形態における図２と同様の展開平面図。
【図１０】第２実施形態における吸液構造体の一部破断展開平面図。
【発明を実施するための形態】
【００１４】
＜第１実施形態＞
図１〜図４を参照すると、本実施形態に係る開放型の使い捨ておむつ１０は、縦方向Ｙとそれに直交する横方向Ｘと、おむつ１０の縦方向Ｙの寸法を二等分して横方向Ｘへ延びる横方向二等分線Ｑおよびおむつ１０の横方向Ｘの寸法を二等分して縦方向へ延びる縦方向二等分線Ｐとを有する。おむつ１０は、肌対向面および非肌対向面と、前ウエスト域１１と、後ウエスト域１２と、前後ウエスト域１１，１２間を縦方向Ｙへ延びるクロッチ域１３とを有するシャーシ１４と、少なくともクロッチ域１３の肌対向面に取り付けられた吸液構造体１５と、シャーシ１４の後ウエスト域１２における両側縁部から横方向Ｘの外方へ延びる一対の第１および第２弾性ベルトパネル１６，１７とを含む。
【００１５】
シャーシ１４は、縦長の略矩形状であって、カバーシート１８と、前ウエスト域１１に位置する前端部１９と、後ウエスト域１２に位置する後端部２０と、クロッチ域１３に位置する中間部２１とを有する。カバーシート１８は、不透液性の繊維不織布シート、プラスチックフィルム又はそれらのラミネートシートから形成された第１シート２２および第２シート２３を有する。これら第１，２シート２２，２３は、これらのシート２２，２３のうちのいずれか一方のシートの内面に塗布されたホットメルト接着剤（図示せず）を介して互いに接合される。シャーシ１４には、本体部２４と、本体部２４に対向するように折り曲げられるとともに本体部２４に固定することによって形成された一対のサイド弾性部２５が含まれる。サイド弾性部２５は、内側縁２５ａと、カバーシート１８の折曲部位からなる外側縁２５ｂとを有する。
【００１６】
第１シート２２は、外側縁２５ｂで折り返すことによって、本体部２４では肌対向面側に位置する一方、サイド弾性部２５では非肌対向面側に位置する。第２シート２３は、本体部２４では非肌対向面側に位置する一方、サイド弾性部２５では肌対向面側に位置する。
【００１７】
各サイド弾性部２５には、縦方向Ｙへ延びる複数条のストランド状又はストリング状の第１レッグ弾性体２６および第２レッグ弾性体２７が配設されており、少なくとも縦方向Ｙにおいて弾性化されている。第１レッグ弾性体２６はサイド弾性部２５の内側縁２５ａに沿って縦方向Ｙへ直状に延びる。換言すれば、第１レッグ弾性体２６は、横方向Ｘにおいて縦方向二等分線Ｐに近接する。
【００１８】
第２レッグ弾性体２７は、第１レッグ弾性体２６の横方向Ｘの外側に位置し、横方向二等分線Ｑから前ウエスト域１１側へ延びる直状部２９と、横方向二等分線Ｑから後ウエスト域１２側へ延びる曲状部３０とを有する。曲状部３０は、後方に向かうにつれて次第に横方向Ｘの外側に延びる。換言すれば、第２レッグ弾性体２７は、第１レッグ弾性体２６よりも横方向Ｘにおいて縦方向二等分線Ｐに離間し、少なくともクロッチ域１３の前ウエスト域１１側で縦方向へ延びる直状部２９と、直状部２９の後ウエスト域１２側で互いに徐々に離間するように延びる曲状部３０とを有する。
【００１９】
クロッチ域１３の後ウエスト域１２側には、第１レッグ弾性体２６と第２レッグ弾性体２７との間に位置し、第１レッグ弾性体２６および第２レッグ弾性体２７の収縮力が作用しない第１非収縮領域３１を画定してある。
【００２０】
第１および第２レッグ弾性体２６，２７は、第１，第２シート２２，２３のうちのいずれか一方の内面に塗布されたホットメルト接着剤（図示せず）を介してこれらのシート２２，２３間に縦方向Ｙに伸縮可能な状態で固定される。
【００２１】
各弾性ベルトパネル１６，１７は、縦方向Ｙにおいて離間対向する端縁３２，３３と、横方向Ｘにおいて離間対向する内側縁３４および外側縁３５とを有する。内側縁３４は縦方向Ｙへ延びる直状を有し、外側縁３５は横方向の外方へ向かって凸となる形状を有する。各弾性ベルトパネル１６，１７の内端部は、後記のとおり、サイド弾性部２５の外側縁２５ｂ近傍に接着又は溶着によって取り付けてある。各弾性ベルトパネル１６，１７は、横方向Ｘへ伸縮可能な第１弾性部４０と、第１弾性部４０から横方向Ｘの外側に位置するフラップ部４１とをさらに有する。
【００２２】
第１弾性部４０は、繊維不織布又はプラスチックシートから形成された、肌対向面側に位置する第１ベルトシート４２と、非肌対向面側に位置する第２ベルトシート４３と、横方向Ｘへ延びる複数条のストランド状又はストリング状の第１ウエスト弾性体４４とを有する。第１ウエスト弾性体４４は、横方向Ｘへ延び、縦方向Ｙへ複数配置してある。第１ウエスト弾性体４４は、横方向Ｘに伸縮可能な状態で第１ベルトシート４２および第２ベルトシート４３間にホットメルト接着剤を介して固定される。第１ウエスト弾性体４４は、横方向Ｘの端部が、第１レッグ弾性体２６の後ウエスト域１２側の端部に近接するよう配置してある。
【００２３】
フラップ部４１は、略台形状の補強シート４５から形成される。補強シート４５は、例えば、繊維不織布又はプラスチックシートから形成された２枚のシートから形成される。両シートは、それぞれ、第１ベルトシート４２と第２ベルトシート４３とに接着又は溶着によって接合されており、第１弾性部４０の外側部が補強シート４５間に介在された状態で固定される。
【００２４】
補強シート４５の外側部の肌対向面には、プラスチックフィルム、繊維不織布、それらのラミネートやクラフト紙等の比較的に剛性および引張強度の高いシート材料から形成され、メカニカルファスナのフック群を有する第１ファスニング要素４７が配置される。図１を参照すると、前ウエスト域１１の外面全体には、プラスチックフィルム、繊維不織布、それらのラミネートやクラフト紙等の比較的に剛性および引張強度の高いシート材料から形成され、メカニカルファスナのループ群を有する第２ファスニング要素４８が配置される。第１ファスニング要素４７を第２ファスニング要素４８に係脱可能に止着することによって、ウエスト開口４９と一対のレッグ開口５０とが画定される。
【００２５】
第２ファスニング要素４８は、前ウエスト域１１の外面全体に配置されているので、第１ファスニング要素４７のターゲット範囲が広く、サイズ調整が容易である。また、通常、開放型おむつの場合には着用者を仰寝させた状態で着用させるところ、第２ファスニング要素４８は比較的に剛性の高いシート材料から形成されているので、着用者が直立した状態であっても、着用補助者が一方の手で前ウエスト域１１を着用者の腹部全体に押し当てた状態のまま他方の手で第１ファスニング要素４７を第２ファスニング要素４８に止着することによって、比較的容易に着用操作を行うことができる。
【００２６】
前後ウエスト域１１，１２のサイド弾性部２５間において、連結パネル５１，５２が吸液構造体１５を跨ぐように内側縁２５ａ近傍に取り付けられる。換言すれば、後ウエスト域１２には、サイド弾性部２５の内側縁２５ａどうしを連結する弾性ベルトパネル１６，１７とは別体の連結パネル５２を肌対向面側に配置してある。連結パネル５１，５２は、質量約５〜１５ｇ／ｍ２の不透液性のＳＭＳ（スパンボンド・メルトブローン・スパンボンド）繊維不織布若しくはスパンボンド不織布から形成された内面シート５３と、透湿性プラスチックシートから形成された外面シート５４とを有する。
【００２７】
後ウエスト域１２に位置する連結パネル５２は、さらに、内面シート５３と外面シート５４との間に介在された複数条のストランド状又はストリング状の第２ウエスト弾性体５５を有する。第２ウエスト弾性体５５は、横方向Ｘへ延び、縦方向Ｙへ複数配置してある。第２ウエスト弾性体５５は、内面シート５３と外面シート５４との間にホットメルト接着剤を介して伸縮可能な状態で固定される。連結パネル５２は、第２ウエスト弾性体５５の配置された領域において、少なくとも横方向Ｘにおいて弾性化された第２弾性部５６を有する。第２ウエスト弾性体５５は、第２ウエスト弾性体５５における縦方向二等分線Ｐに近接する端部が、第１レッグ弾性体２６の後ウエスト域１２側の端部に近接するよう配置してある。なお、上述した「第２ウエスト弾性体５５は、第２ウエスト弾性体５５における縦方向二等分線Ｐに近接する端部が、第１レッグ弾性体２６の後ウエスト域１２側の端部に近接」とは、それぞれの端部を形成するシート同士の接合域が、弾性体２６，５５の配置域と重なることをいう。また、上記配置域には、弾性体２６，５５が存在するが、収縮していない領域が含まれる。
【００２８】
第１および第２レッグ弾性体２６，２７は、太さ約４７０〜９４０ｄｔｅｘ，伸長倍率約２．０〜２．８倍、第１ウエスト弾性体４４は、太さ約４７０〜９４０ｄｔｅｘ，伸長倍率約２．５〜３．０倍、第２ウエスト弾性体５５は、太さ約４７０〜９４０ｄｔｅｘ，伸長倍率約２．０〜２．５倍のストランド状又はストリング状の弾性材料からそれぞれ形成することができる。おむつ１０が縦方向Ｙおよび横方向Ｘに伸展された状態において、第１ウエスト弾性体４４の横方向Ｘの寸法、すなわち、第１弾性部４０の横方向Ｘの寸法は、第２ウエスト弾性体５５の横方向Ｘの寸法、すなわち、第２弾性部５６の横方向Ｘの寸法よりも大きくなっている。具体的には、前者が約１９０〜２３０ｍｍ、後者が１２０〜１６０ｍｍである。このように、第１弾性部４０の横方向Ｘの寸法が第２弾性部５６の横方向Ｘの寸法よりも大きいことによって、着用者のウエスト周りに対するフィット性が向上し、着用時におけるクロッチ域１３の位置ずれを防止することができる。また、第１弾性部４０における単位面積当たりの伸長力（以下、単に「伸長応力」と省略する）は、第２弾性部５６の伸長応力よりも高いことが好ましい。具体的には、縦方向Ｙの寸法が２５ｍｍのシートを切り取った場合において、第１弾性部４０の最大伸長時の８０％における伸長応力が約１．３Ｎであり、第２弾性部５６の最大伸長時の８０％における伸長応力約１．０Ｎである。このように、第２弾性部５６の伸長応力が第１弾性部４０の伸長応力よりも低いことによって、おむつ１０の着用時に第１弾性部４０および第２弾性部５６が着用者のウエスト周りに伸長されたきに、第２弾性部５６が第１弾性部４０よりもより大きく伸長され、連結パネル５２を着用者のウエストに安定的にフィットさせることができる。
【００２９】
後ウエスト域１２は、弾性ベルトパネル１６，１７と、連結パネル５２との間に位置し、第１ウエスト弾性体４４および第２ウエスト弾性体５５の収縮力が作用しない第２非収縮領域５７を有する。また、このおむつ１０では、第１非収縮領域３１と第２非収縮領域５７とが縦方向Ｙへ連続するように配置してある。
【００３０】
後ウエスト域１２は、第１弾性部４０および第２弾性部５６が横方向Ｘへ伸縮するので、前後ウエスト域１１，１２が連結された状態において着用者の腰部に安定的にフィットする。また、弾性ベルトパネル１６，１７と連結パネル５２とは、一連に横方向Ｘへ延びる弾性複合シートから形成されていてもよい。ただし、本実施形態のように、連結パネル５１，５２と弾性ベルトパネル１６，１７とが別体から成り、後ウエスト域１２において第１弾性部４０と第２弾性部５６との間に第２非収縮領域５７が位置する態様では、第１レッグ弾性体２６が弾性ベルトパネル１６，１７の伸縮力によって横方向Ｘの外側に引っ張られ、おむつ１０の着用状態において着用者の大腿部から離間するおそれはない。また、連結パネル５２と弾性ベルトパネル１６，１７とが別体から構成されている場合には、第１ウエスト弾性体４４と第２ウエスト弾性体５５との離間寸法等を変えることができ、第１ウエスト弾性体４４の収縮力によって後ウエスト域１２からの体液の漏れを防止する一方、弾性ベルトパネル１６，１７において一定の通気性を保持しつつ第２ウエスト弾性体５５の収縮力によって着用者の身体への適度なフィット性を実現することができる。また、第２レッグ弾性体２７は後ウエスト域１２側において横方向Ｘの外側へ曲状に延びる曲状部３０を有し、第１レッグ弾性体２６と第２レッグ弾性体２７との間には第１非収縮領域３１が配置され、さらに、弾性ベルトパネル１６，１７と連結パネル５２との間に位置する第２非収縮領域５７が、第１非収縮領域３１と縦方向Ｙへ連続しているので、第１非収縮領域３１が弾性ベルトパネル１６，１７による横方向Ｘへの収縮を抑えて後ウエスト域１２を臀部に当接させることができる。よって、後ウエスト域１２およびクロッチ域１３の後ウエスト域１２側が臀部に食い込むことを抑えることができる。しかも、連結パネル５２の横方向Ｘの両側に第２非収縮領域５７を配置してあるとともに、これら第２非収縮領域５７の横方向Ｘの両側に弾性ベルトパネル１６，１７を配置してあるため、弾性ベルトパネル１６と弾性ベルトパネル１７とを着用者の体に片寄りなく押し当てることができる。これらの結果、第１非収縮領域３１が適切な位置に配置されるため、おむつ１０が装着時にずれることを抑えることができる。
【００３１】
吸液構造体１５は、ホットメルト接着剤を介して本体部２４の肌対向面に固定されており、吸液層６０と、透液性シートから形成された吸液層６０の少なくとも肌対向面側を被覆する身体側ライナ６１と、吸液層６０の非肌対向面側を被覆する不透液性シートから形成された防漏シート６２とを有する。身体側ライナ６１と吸液層６０との間には、横方向Ｘにおいて互いに離間し、かつ、縦方向Ｙへ延びるストリング状又はストランド状の複数条の弾性体６３が伸縮可能な状態で配置される。図示していないが、弾性体６３が収縮することによって、吸液構造体１５には横方向Ｘへ延びる複数の襞が形成される。吸液構造体１５に弾性体６３が配置されていることによって、おむつ１０全体が縦方向Ｙに伸張され易くなり、ウエスト回りの比較的に大きな着用者の場合であっても、仰寝状態から第１ファスニング要素４７と第２ファスニング要素４８とを容易に連結することができる。
【００３２】
吸液層６０は、不水溶性かつ自己質量の１０倍以上の吸水力を有するいわゆる高吸収性ポリマー粒子（ＳＡＰ）、木材フラッフパルプ、オプションとして熱可塑性繊維を僅かに含む混合物から形成された吸収性コアを親水性ＳＭＳ不織布などの透液性シートで被包することによって形成される。
【００３３】
図４，５を参照すると、前ウエスト域１１において、連結パネル５１の横方向Ｘの中央部が、本体部２４の肌対向面において横方向Ｘへ延びる第１接合域７１によって本体部２４に取り付けられる一方、連結パネル５１の横方向Ｘの両側部が、サイド弾性部２５の内側縁２５ａに沿って縦方向Ｙへ延びる第２接合域７２によってサイド弾性部２５に取り付けられる。サイド弾性部２５の前端部７４は、第１接合域７１を介して本体部２４に接合される。第１接合域７１の縦方向Ｙの寸法は、連結パネル５１の縦方向Ｙの寸法よりも小さく、連結パネル５１の第１接合域７１と第２接合域７２とに囲まれた領域には、連結パネル５１と本体部２４とが接合されていない中央非接合域７５が形成される。この中央非接合域７５によって、本体部２４と連結パネル５１との間には、排泄物を収容するための前方スペース７６が画定される。換言すれば、連結パネル５１およびサイド弾性部２５と、本体部２４との間に前方スペース７６が形成されるように、連結パネル５１をサイド弾性部２５の内側縁２５ａどうしを連結してある。
【００３４】
図４，６および図７を参照すると、後ウエスト域１２において、連結パネル５２の横方向Ｘの中央部が、本体部２４の肌対向面において横方向Ｘへ延びる第１接合域８１によって本体部２４に取り付けられる一方、連結パネル５２の両側部が、サイド弾性部２５の内側縁２５ａに沿って縦方向Ｙへ延びる第２接合域８２によってサイド弾性部２５に取り付けられる。サイド弾性部２５の後端部８４は、第１接合域８１を介して本体部２４に接合される。第１接合域８１の縦方向Ｙの寸法は、連結パネル５２の縦方向Ｙの寸法よりも小さく、連結パネル５２の第１接合域８１と第２接合域８２とに囲まれた領域には、連結パネル５２が本体部２４と接合されていない中央非接合域８５が形成される。この中央非接合域８５によって、本体部２４および吸液構造体１５の後端部と連結パネル５２との間には、排泄物を収容するための後方スペース８６が画定される。換言すれば、連結パネル５２およびサイド弾性部２５と、本体部２４との間に後方スペース８６が形成されるように、連結パネル５２をサイド弾性部２５の内側縁２５ａどうしを連結してある。
【００３５】
後ウエスト域１２において、弾性ベルトパネル１６，１７は、サイド弾性部２５の外側縁２５ｂに沿って縦方向Ｙに延びる第３接合域８３を介してシャーシ１４に固定される。弾性ベルトパネル１６，１７がサイド弾性部２５の外側縁２５ｂに固定されるので、おむつ１０の着用状態において、サイド弾性部２５は弾性ベルトパネル１６，１７の伸長力によって横方向Ｘに引っ張られて内側縁２５ａが着用者の大腿部に当接し、後記の防漏壁８７を形成する。サイド弾性部２５には、第１接合域８１、第２接合域８２および第３接合域８３によって画定されたサイド非接合域９０が画定される。さらに、弾性ベルトパネル１６，１７は、本体部２４における外側縁２５ｂの肌対向面側に固定されるため、おむつ１０の装着時に、本体部２４を着用者の体に直接押し付けることを防止し、本体部２４と連結パネル５２との間には、排泄物を収容するためのスペースが形成されやすくなる。
【００３６】
図８を参照すると、サイド弾性部２５は、おむつ１０の着用状態において、吸液構造体１５から離間してその内側縁２５ａが着用者の大腿部に当接して防漏壁８７を形成し、シャーシ１４は袋状の形態を呈する。おむつ１０の着用中に排泄物が吸液構造体１５上に排泄された場合には、自重によって吸液構造体１５が着用者の臀部から離間し、着用者の臀部と吸液構造体１５との間に排泄物を保持するための、比較的に大容量の排泄物収容スペース８８が形成される。特に、前後ウエスト域１１，１２には前後方スペース７６，８６が形成され、かつ、後ウエスト域１２にはサイド非接合域９０が画定されるので、排泄物収容スペース８８が大きくなる。また、サイド弾性部２５の後端部８４の前方に位置するサイド弾性部２５の立ち上がり部位が弾性ベルトパネル１６，１７の端縁３２よりも縦方向Ｙの外側に位置しているので、おむつ１０を着用したときに、サイド弾性部２５が弾性ベルトパネル１６，１７に巻き込まれるように起立し、比較的に大きな防漏壁８７が形成され、より多量の排泄物を収容することができる。また、多量の排泄物を収容、保持する場合には、吸液構造体１５が着用者の臀部から離間するので、臀部が排泄物によって汚れるのを抑制することができる。
【００３７】
このおむつ１０によれば、第１レッグ弾性体２６は、縦方向Ｙにおいて直状となるように配置するため、クロッチ域１３でシャーシ１４が着用者から離れることを防止することができる。しかも、第２レッグ弾性体２７は、第１レッグ弾性体２６よりも横方向Ｘにおいて縦方向二等分線Ｐに離間し、少なくともクロッチ域１３の前ウエスト域１１側で縦方向Ｙへ延びる直状部２９と、直状部２９の後ウエスト域１２側で互いに徐々に離間するように延びる曲状部３０とを有するため、クロッチ域１３の前ウエスト域１１側でシャーシ１４が着用者から離れることを確実に防止することができるとともに、第２レッグ弾性体２７の曲状部３０の収縮力で一対の第１レッグ弾性体２６を互いに離間するように引っ張ることができる。よって、第１シート２２および第２シート２３が臀部に食い込むことを防止することができる。しかも、第１レッグ弾性体２６および第２レッグ弾性体２７は、第１シート２２と第２シート２３との間に配置してあるため、これらの弾性体２６，２７の収縮力が第１シート２２および第２シート２３に直接作用する。よって、第１シート２２および第２シート２３が臀部に食い込むことを確実に防止することができる。
【００３８】
また、第１ウエスト弾性体４４における縦方向二等分線Ｐに近接する端部と、第２レッグ弾性体２７の後ウエスト域１２側の端部とが近接するため、おむつ１０の着用時、横方向Ｘへ発生する第１ウエスト弾性体４４の収縮力と、縦方向Ｙへ発生する第２レッグ弾性体２７の収縮力との連動性を向上することができる。これにより、一対の第２レッグ弾性体２７の後ウエスト域１２の端部を、第１ウエスト弾性体４４の収縮力によって互いに離間させることができ、第１シート２２および第２シート２３が臀部に食い込むことを防止することができる。なお、上述した「第１ウエスト弾性体４４における縦方向二等分線Ｐに近接する端部と、第２レッグ弾性体２７の後ウエスト域１２側の端部とが近接」とは、それぞれの端部を形成するシート同士の接合域が、弾性体２７，４４の配置域と重なることをいう。また、上記配置域には、弾性体２７，４４が存在するが、収縮していない領域が含まれる。
【００３９】
さらに、おむつ１０は、第１レッグ弾性体２６および第２レッグ弾性体２７が配設され、本体部２４に対向するように折り曲げられるとともにシャーシ１４の縦方向Ｙにおける前端部１９および後端部２０のみを固定することによって形成された一対のサイド弾性部２５とを含み、後ウエスト域１２において、それら一対のサイド弾性部２５の外側縁２５ｂに一対の弾性ベルトパネル１６，１７を取り付けてあるため、おむつ１０の着用時、弾性ベルトパネル１６，１７が有する第１ウエスト弾性体４４によって横方向Ｘへ発生する収縮力と、縦方向Ｙへ発生する第２レッグ弾性体２７の収縮力との連動性を向上することができる。これにより、一対の第２レッグ弾性体２７の後ウエスト域１２の端部を、第１ウエスト弾性体４４の収縮力によって互いに離間させることができ、第１シート２２および第２シート２３が臀部に食い込むことを防止することができる。
【００４０】
また、連結パネル５２は、肌対向面側に配置してあるため、後ウエスト域１２において連結パネル５２が着用者から離間することを防止することができる。
【００４１】
さらに、第２レッグ弾性体２７の収縮力が、第２ウエスト弾性体５５の収縮力よりも大きいため、第２ウエスト弾性体５５の収縮力によって第１シート２２および第２シート２３が臀部に食い込むことを防止することができる。
【００４２】
＜第２実施形態＞
図９および図１０を参照すると、本実施形態においては、吸液構造体１５の吸液層６０は、主として高吸収性ポリマー粒子から形成された吸収性コアと、肌対向面側に位置する質量約８．０〜１５．０ｇ／ｍ２、好ましくは、質量約１０．０ｇ／ｍ２の透液性の繊維不織布から形成された第１ベルトシート（上面シート）９１と、非肌対向面側に位置する質量約８．０〜１５．０ｇ／ｍ２、好ましくは、１１．０ｇ／ｍ２の透水性または難透水性のＳＭＳ繊維不織布から形成された第２ベルトシート（下面シート）９２とを含む。
【００４３】
吸液層６０は、さらに、吸収性コアが配置された、縦方向Ｙへ所与寸法離間する略矩形状に画定された吸液域９３と、吸収性コアが実質的に配置されていない、吸液域を取り囲むように形成されたシール部９４とを有する。なお、本実施形態において、吸液域９３は、８つの区域に区分されているが、吸液構造体１５の要する吸収性能に応じてその面積、区域数を適宜変更することができ、例えば、８つ以上の区域に区分されていてもよいし、吸液構造体１５の全体に延びる１つの区域のみから形成されていてもよい。
【００４４】
吸液域９３では、第１ベルトシート９１の内面には、ホットメルト接着剤９６を介して質量約３０〜３００ｇ／ｍ２、好ましくは、質量約４０〜２８０ｇ／ｍ２の高吸収性ポリマー粒子９５がほぼ一様に固定されている。高吸収性ポリマー粒子９５には、吸液層６０全体の吸収速度を調整するために、例えば、吸収速度の異なる２種類のものを併用することができる。また、後記の本発明の効果を奏する限りにおいて、吸収性コアには、高吸収性ポリマー粒子９５のみならずフラッフパルプやオプションとして熱可塑性繊維などの公知の材料を比較的に低い混合率でその一部に含むものであってもよい。具体的には、フラッフパルプ等の吸水性繊維を混合する場合は、吸収性コア全体に対して約０〜３０質量％の割合で混合されていることが好ましい。ホットメルト接着剤９６には、各種公知のものを使用することができるが、体液の吸収後であって、吸収性ポリマー粒子が第１ベルトシート９１から剥離しないようにするために、疎水性を有する接着剤を使用することが好ましい。
【００４５】
吸液域９３では、第１ベルトシート９１と第２ベルトシート９２とが部分的に固定されているか又はそれらが互いに固定されていないことが好ましい。また、吸液域９３において第１ベルトシート９１および第２ベルトシート９２がホットメルト接着剤９６で互いに部分的に固定されている場合には、吸液層６０内に移行した体液が吸収性ポリマー粒子９５に吸収されそれが膨潤することによって、これらシート９１，９２の固定が解かれるようにしてもよい。一方、シール部９４では、すなわち、吸液域９３間の離間部位および吸液層６０の外周縁沿い全域においては、ホットメルト接着剤９６を介して第１ベルトシート９１および第２ベルトシート９２が互いに接合されている。なお、吸液域９３においては、吸収性ポリマー粒子９５を第１ベルトシート９１の内面に固定するためにホットメルト接着剤９６は比較的に密に、ほぼ面状に塗布されており、シール部９４においては、比較的に疎に塗布されている。
【００４６】
このように、吸液層６０の吸収性コアは、吸収性ポリマー粒子９５とそれを被包するシート部材のみから形成されているので、吸収性コアが吸収性ポリマー粒子９５とフラッフパルプとの混合物から形成されている場合に比して薄く、シャーシ１４の動きに対する順応性に優れている。また、第１および第２ベルトシート９１，９２がシール部９４において安定的に固定されていることによって所要の剥離強度を有するとともに、第１および第２ベルトシート９１，９２の内面全体が固定されている場合に比して高い可撓性を有するものといえる。さらに、吸液域９３において吸収性ポリマー粒子９５が第１ベルトシート９１に一様に固定されていることから、着用者の動作および姿勢のいかんにかかわらず、その分布に偏りを生じることはない。なお、シール部９４は、吸液域９３から移動可能な吸収性ポリマー粒子９５がこぼれ出るのを防止するために吸液域の周縁を封止するものであるが、製造工程において、吸収性ポリマー粒子９５の一部が、吸液域９３における吸収性ポリマー粒子９５の単位面積当たりの所要質量よりも少ない範囲において、シール部９４に配置されることがある。また、図示していないが、第１実施形態のように、身体側ライナ６１と吸液層６０との間に縦方向Ｙへ延びる複数条の弾性体６３が配置されていてもよい。
【００４７】
おむつ１０を構成する各構成部材には、本明細書に記載されている材料のほかに、この種の物品において通常用いられている各種の公知の材料を制限なく用いることができる、また、本発明の明細書および特許請求の範囲において、「第１」、「第２」および「第３」の用語は、同様の要素、位置などを単に区別するために用いられている。
【００４８】
以上に記載した本発明に関する開示は、少なくとも下記事項に要約することができる。
【００４９】
縦方向および横方向と、前記横方向の寸法を二等分して縦方向へ延びる縦方向二等分線を有し、肌対向面および非肌対向面と、前ウエスト域と、後ウエスト域と、前後ウエスト域間に位置するクロッチ域と、少なくとも前記クロッチ域において前記縦方向へ延びる吸液構造体を有するシャーシとを含む使い捨ておむつであって、前記シャーシは、第１シートと、第２シートと、前記縦方向二等分線に対して対称となるように前記第１シートおよび前記第２シートの間に配置した一対の第１レッグ弾性体および第２レッグ弾性体とを含み、本体部と、前記第１レッグ弾性体および前記第２レッグ弾性体を有し、前記本体部に対向して前記本体部の前記縦方向における前端部および後端部のみに固定された一対のサイド弾性部とを含み、前記第１レッグ弾性体は、前記横方向において前記縦方向二等分線に近接し、前記縦方向において直状となるように配置し、前記第２レッグ弾性体は、前記第１レッグ弾性体よりも前記横方向において前記縦方向二等分線に離間し、少なくとも前記クロッチ域の前記前ウエスト側で縦方向へ延びる直状部と、前記直状部の前記後ウエスト域側で互いに徐々に離間するように延びる曲状部とを有する。
【００５０】
上記段落００４９に開示した本発明は、少なくとも下記の実施の形態を含むことができる。
（１）前記クロッチ域の前記後ウエスト域側は、前記第１レッグ弾性体と前記第２レッグ弾性体との間に位置し、前記第１レッグ弾性体および前記第２レッグ弾性体の収縮力が作用しない第１非収縮領域を有し、前記後ウエスト域には、前記シャーシの両側縁から前記横方向の外方へ延びる弾性ベルトパネルを一対配置するとともに、前記サイド弾性部の内側縁どうしを連結し、前記弾性ベルトパネルと連続または別体の連結パネルを配置し、前記弾性ベルトパネルには、前記横方向へ延びる第１ウエスト弾性体を前記縦方向へ複数配置し、前記連結パネルには、前記横方向へ延びる第２ウエスト弾性体を前記縦方向へ複数配置し、前記後ウエスト域は、前記弾性ベルトパネルと前記連結パネルとの間に位置し、前記第２ウエスト弾性体および前記第１ウエスト弾性体の収縮力が作用しない第２非収縮領域を有し、前記第１非収縮領域と前記第２非収縮領域とが前記縦方向へ連続する。
（２）前記第１ウエスト弾性体における前記縦方向二等分線側に近接する端部と、前記第２レッグ弾性体の前記後ウエスト域側の端部とが近接する。
（３）前記後ウエスト域において、前記弾性ベルトパネルを前記サイド弾性部の外側縁に取り付けてある。
（４）前記連結パネルは、前記シャーシの肌対向面側に位置し、前記第２ウエスト弾性体の前記横方向の端部と、前記第１レッグ弾性体の前記後ウエスト域側の端部とが近接する。
（５）前記連結パネルおよび前記サイド弾性部と、前記本体部との間にスペースが形成されるように、前記連結パネルが前記サイド弾性部の内側縁どうしを連結する。
（６）前記吸液構造体は、前記縦方向および前記横方向にそれぞれ直交する厚さ方向を有し、かつ透液性の肌対向面側ライナと吸液層とを含み、前記連結パネルは、前記厚さ方向において、前記肌対向面側ライナまたは吸液層に重なっている。
（７）前記第２レッグ弾性体の収縮力が、前記第２ウエスト弾性体の収縮力よりも大きい。
【符号の説明】
【００５１】
１０  使い捨ておむつ
１１  前ウエスト域
１２  後ウエスト域
１３  クロッチ域
１４  シャーシ
１５  吸液構造体
１６  弾性ベルトパネル
１７  弾性ベルトパネル
２２  第１シート
２３  第２シート
２４  本体部
２５  サイド弾性部
２５ａ  内側縁
２５ｂ  外側縁
２６  第１レッグ弾性体
２７  第２レッグ弾性体
２９  直状部
３０  曲状部
３１  第１非収縮領域
４２  第１ベルトシート
４３  第２ベルトシート
４４  第１ウエスト弾性体
５５  第２ウエスト弾性体
５７  第２非収縮領域
６０  吸液層
６１  身体側ライナ
９１  第１ベルトシート
９２  第２ベルトシート
９３  吸液域
９４  シール部
９５  吸収性ポリマー粒子
Ｐ    縦方向二等分線
Ｘ    横方向
Ｙ    縦方向
【図１】
0006008592.tif 000002
【図２】
0006008592.tif 000003
【図３】
0006008592.tif 000004
【図４】
0006008592.tif 000005
【図５】
0006008592.tif 000006
【図６】
0006008592.tif 000007
【図７】
0006008592.tif 000008
【図８】
0006008592.tif 000009
【図９】
0006008592.tif 000010
【図１０】
0006008592.tif 000011